(57)【要約】【課題】簡単な構造で良好なスイッチング操作を行うことができる押しボタンスイッチ装置を提供する。【解決手段】回路基板上の両端付近に設けられた２つのスイッチを覆う面積を有する１枚の弾力性のある素材からなり、裏面端部領域に前記スイッチに対向する突起部を設けたカバーと、該カバーの裏面中央領域に接する固定用部材で構成され、前記カバーは両端付近に荷重をかけたときに前記固定用部材の両側の角部を支点としてたわみ、前記突起部が前記スイッチを押すように構成されている。【選択図】図２
2011090845.tif 000002
【特許請求の範囲】
【請求項１】
回路基板上の両端付近に設けられた２つのスイッチと、前記スイッチを覆う面積を有する１枚の弾力性のある素材からなり、裏面端部領域に前記スイッチに対向する突起部を設けたカバーと、該カバーの裏面中央領域に接する固定用部材で構成され、前記カバーは両端付近に荷重をかけたときに前記固定用部材の両側の角部を支点としてたわみ、前記突起部が前記スイッチを押すように構成されていることを特徴とする押しボタンスイッチ装置。
【請求項２】
カバーは、中央領域がスイッチに対向する突起部を含む端部領域よりも厚さが薄くなっている請求項１に記載の押しボタンスイッチ装置。
【発明の詳細な説明】
【技術分野】
【０００１】
本発明は押しボタンスイッチ装置とりわけカバー一体型シーソー式の押しボタンスイッチ装置に関する。
【背景技術】
【０００２】
車載機器たとえば音響機器、音響映像機器、ナビゲーション機器においては、機器の操作のためのスイッチが不可欠であり、操作パネルにはそうしたスイッチを操作するための押しボタン装置が組み込まれている。
かかる押しボタン装置は、先行技術のように、基板に設けた複数のスイッチに対応して操作パネルに複数の窓孔を配し、それら窓孔にそれぞれ押しボタンを並進可能に差込み、先端をスイッチに臨ませるのが一般的であった。
【０００３】
しかし、先行技術では、各スイッチに対する各押しボタンごとに、カバーやヒンジなどの戻し機構を設けていたので、構造が複雑となるとともに、コスト高となるという問題があった。
【先行技術文献】
【特許文献】
【０００４】
【特許文献１】実開平５−６６０３号公報
【発明の概要】
【発明が解決しようとする課題】
【０００５】
本発明は前記のような問題点を解消するためになされたもので、その目的とするところは、簡単な構造で良好なスイッチング操作を行うことができる押しボタンスイッチ装置を提供することにある。
【課題を解決するための手段】
【０００６】
上記目的を達成するため本発明は、回路基板上の両端付近に設けられた２つのスイッチと、前記スイッチを覆う面積を有する１枚の弾力性のある素材からなり、裏面端部領域に前記スイッチに対向する突起部を設けたカバーと、該カバーの裏面中央領域に接する固定用部材で構成され、前記カバーは両端付近に荷重をかけたときに前記固定用部材の両側の角部を支点としてたわみ、前記突起部が前記スイッチを押すように構成されていることを特徴としている。
【発明の効果】
【０００７】
回路基板上の両端付近に設けられた２つのスイッチを覆う面積を有し裏面端部領域に前記スイッチに対向する突起部を設けた１枚の弾力性のある素材からなるカバーの裏面中央領域を固定用部材で支持させ、カバーの両端付近に荷重をかけたときにカバーを固定用部材の両側の角部を支点としてたわませることで突起部が回路基板のスイッチを押すようにしたカバー一体型シーソー式の押しボタンであり、２つのスイッチに対する押しボタンにおいて必要であった各別のカバーと押された後の戻し用手段を1つの部材で兼ねさせているので、簡単ですっきりとした構造とすることができ、コストの削減を図ることができる。
また、カバーそれ自体の弾力性でスイッチを押した後の戻り作用が発揮されるので、スイッチの反力を使って戻す方式に比べて操作フィーリングもよくすることができる。
【図面の簡単な説明】
【０００８】
【図１】本発明による押しボタンスイッチ装置の一実施例を示す正面図である。
【図２】図１のＸ−Ｘ線に沿う断面図である。
【図３】本発明におけるカバーの平面図である。
【図４】カバーの側面図である。
【図５】押しボタンの操作時の状態を示す半断面図である。
【発明を実施するための形態】
【０００９】
カバーは、中央領域がスイッチに対向する突起部を含む端部領域よりも厚さが薄くなっている。
これによればスイッチを押圧するためのカバー両端部がたわみやすくなり、確実にスイッチングと戻りを行うことができる。
【実施例１】
【００１０】
以下添付図面を参照して本発明の実施例を説明する。
図１と図２は本発明による押しボタンスイッチ装置の一実施例を示しており、１は機器の前面に搭載された回路基板であり、各種電子部品が装着されるとともに、ほぼ中央位置の下部に図示しないスイッチが設けられているが、それとは別に回路基板上の両端付近に２つのスイッチ1０、１１が配設されている。
スイッチとしてこの例ではボリュームスイッチが用いられており、紙面に対して左側のスイッチ１０はボリュームダウンスイッチ、紙面に対して右側のスイッチ１１はボリュームアップスイッチである。
しかし、本発明はボリュームスイッチに限定されるものではなく、局ないし曲選択スイッチたとえば次局あるいは次曲スイッチと前曲あるいは前曲スイッチなどにも適用される。
【００１１】
２は前記回路基板1を含む機器の前部を覆う操作パネル（エスカッション）であり、囲壁部２０と、囲壁部２０の先端領域に略長方形の浅い皿状凹部を形成するように設けられた仕切り壁２１と、仕切り壁２１の裏面から直角状に延出して前記回路基板１に到る隔壁２２、２３とを備えている。
【００１２】
３は本発明で特徴とするカバーであり、アクリル、ＰＣＢ、ＰＣなどの弾力性のあるプラスチック素材からなっている。
該カバー３は左右２つのスイッチ１０，１１の間隔以上に寸法が長い全体として横長帯状をなし、裏面の両端部領域に前記スイッチ１０，１１に対向する軸状の突起部３０,３１を設けている。そして突起部３０,３１よりもさらに先の端縁側には浮き止め用の引掛け爪３２，３２を突設している。前記カバー３は慣用のスイッチボタンが並進可能に配されるように中央部に開口部３３が欠設されている。
【００１３】
カバー３の表面側には、縁部に沿って縁取りなどの装飾が施されるとともに、左右の突起部３０,３１に近い部位に、スイッチの種類などを表す文字や記号からなる印刷的表示部と、スイッチが作動したときに照明光を導通させる２種の所要の文字や記号の輪郭この例では−と＋を模した照明部３４,３５を配している。
【００１４】
前記カバー３は、図２と図３のように、固定範囲を形成する中央領域の肉厚が、突起部３０,３１を含む左右端部領域よりも相対的に薄肉に構成され、それによってたわみ性を助長している。
詳しくは、前記カバー３は、前記のような装飾や印刷的表示部と、照明部３４,３５を施した非透明な面板３ａと、前記突起部３０,３１と引掛け爪３２，３２を一体形成していて面板３ａの裏面に重ねられて接合された左右のボタン用板３ｂ、３ｂから構成されている。ボタン用板３ｂ、３ｂは透明に構成されるか、照明部に即した開孔が裏面に達するように形成される。
【００１５】
４ａ,４ｂは前記回路基板1と操作パネル２の隔壁部２１の間に配置固定され、ＬＥＤランプなどの光源あるいは他所に設けた光源からの光を導いて前記カバー３に照射する２つの導光部材であり、一方の導光部材４ａは左側の隔壁２２から突起部３０までの間に介在され、スイッチ１０がオンになったときに照明部３４に光を導き、他方の導光部材４ｂは右側の隔壁２３から突起部３１までの間に介在され、スイッチ１１がオンになったときに照明部３５に光を導くようになっている。
【００１６】
前記カバー３は左右のスイッチ１０，１１を覆うように操作パネルの皿状凹部に表側から装着されるが、皿状凹部はカバー３の肉厚よりも適度に深く構成されており、皿状凹部を画成する仕切り壁２１には左右の突起部３０,３１を挿入すべき穴のほか、左右両端部にカバー３の２つの引掛け爪３２，３２の挿入を許すスリットが形成されている。
【００１７】
そして、仕切り壁２１の中央領域すなわち突起部３０,３１からほぼ等距離にある部位には、カバー３の裏面中央領域に接する台状の支持部（固定用部材）２１０が突出形成されている。この例では支持部２１０が左右で分離しているが、つながっていてもよい。
台状の支持部２１０は、カバー３の薄肉な中央部裏面に両面テープあるいは接着剤などで固定されており、このように支持部２１０でカバー３の裏面中央領域が支持された状態で、図２のようにカバー３の左右端部領域すなわち厚肉部領域は、仕切り壁２１の上面と僅かな隙間Ｇをもって対峙し、左右の突起部３０,３１がそれぞれ僅かなギャップをもってスイッチ１０，１１と対峙するようになっている。
【００１８】
本発明は上記のような構成からなるので、図３と図４のような単体の状態にあるカバー３を操作パネル２の皿状凹部に接近させ、左右の突起部３０,３１を仕切り壁２１の２つの各穴に、引掛け爪３２，３２を仕切り壁２１の端のスリットに挿入すればよく、カバー３の裏面の中央領域は仕切り壁２１から立ち上がった支持部２１０に接合固定され、引掛け爪３２，３２がスリット裏のアンダーカット部に係止されるので、簡単に組立てることができる。
【００１９】
組立て状態においては、図２のように左右の突起部３０,３１がそれぞれ僅かなギャップをもってスイッチ１０，１１と対峙している。
スイッチを作動させる場合、すなわちこの例ではボリュームを調整する場合には、カバー３の左側端部領域か右側端部領域を指先で押圧するものであり、こうすれば、図５のように、押圧された側のカバー端部領域は支持部２１０の一方の角部位２１１を支点として厚さ方向にたわみ、それにより突起部３０または３１が下げられてスイッチ１０または１１と接触し、アクチュエータが作動してボリュームが調整される。このときに光源から発せられた光が導光部材４ａまたは４ｂから押圧した側の照明部３４または３５に導かれ、オン状態であることを視認させる。
【００２０】
押圧をやめれば、それまで撓んでいたカバー３の左側端部領域または右側端部領域は弾性により図２の水平状態に戻るので、スイッチの反力による戻しに比べてフィーリングをよいものにすることができる。
前記押圧時に、引掛け爪３２は図５のように係止位置から離間して前進するが、押圧開放時の復元作用で再びスリット裏のアンダーカット部に係止されるので、カバー３の浮きを防止し、水平状態に保持することができる。
【符号の説明】
【００２１】
１  回路基板
１０，１１  スイッチ
２  操作パネル
３  カバー
２０  仕切り壁
２１  支持部
３０,３１  突起部
３２  引掛け爪
【図１】
2011090845.tif 000003
【図２】
2011090845.tif 000004
【図３】
2011090845.tif 000005
【図４】
2011090845.tif 000006
【図５】
2011090845.tif 000007